【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
光制御システムであって、
軌道と、
１つ以上の照明デバイスと、
前記１つ以上の照明デバイスの下で前記軌道に沿って移動するように構成された１つ以上のカートと、
コントローラであって、
１つ以上のプロセッサと、
１つ以上のメモリモジュールと、
前記１つ以上のメモリモジュール内に記憶された照明レシピと、
前記１つ以上のメモリモジュール内に記憶された機械可読命令であって、前記機械可読命令は、前記１つ以上のプロセッサによって実行されると、前記コントローラに、
前記１つ以上のカート内の植物を識別することと、
前記１つ以上のカートが前記軌道上を移動している一方で前記軌道上で前記植物を搬送する前記１つ以上のカートの場所に基づいて、前記植物のシミュレートされた成長日の数を決定することと、
前記植物の前記シミュレートされた成長日の数に基づいて、前記１つ以上のメモリモジュール内に記憶された前記照明レシピの中から前記識別された植物に関する照明レシピを読み出すことと、
前記識別された植物に関する照明レシピに基づいて、前記１つ以上の照明デバイスの動作を制御することと
を行わせる、機械可読命令と
を備える、コントローラと
を備える、光制御システム。
【請求項２】
前記軌道は、閉鎖されたループ軌道であり、
前記１つ以上のメモリモジュール内に記憶された前記機械可読命令は、前記１つ以上のプロセッサによって実行されると、前記コントローラに、
前記軌道全体に対する前記カートにわたる前記照明デバイスの位置に基づいて、前記植物のシミュレートされた成長日の数を決定すること
を行わせる、請求項１に記載の光制御システム。
【請求項３】
前記軌道は、播種点を含み、
前記１つ以上のメモリモジュール内に記憶された前記機械可読命令は、前記１つ以上のプロセッサによって実行されると、前記コントローラに、前記播種点と前記１つ以上のカートの前記場所との間の距離に基づいて、前記植物のシミュレートされた成長日の数を決定させる、請求項１に記載の光制御システム。
【請求項４】
前記１つ以上のメモリモジュール内に記憶された前記機械可読命令は、前記１つ以上のプロセッサによって実行されると、前記コントローラに、カート内で搬送される前記植物の高さまたは葉緑素生産レベルに基づいて、前記植物のシミュレートされた成長日の数を決定させる、請求項２に記載の光制御システム。
【請求項５】
前記１つ以上の照明デバイスは、１つ以上のＬＥＤデバイスを含む、請求項１に記載の光制御システム。
【請求項６】
前記１つ以上のメモリモジュール内に記憶された前記機械可読命令は、前記１つ以上のプロセッサによって実行されると、前記コントローラに、前記識別された植物に関する前記照明レシピに基づいて、前記１つ以上のＬＥＤデバイスの赤色強度、青色強度、または緑色強度のうちの少なくとも１つを制御させる、請求項５に記載の光制御システム。
【請求項７】
前記１つ以上のメモリモジュール内に記憶された前記機械可読命令は、前記１つ以上のプロセッサによって実行されると、前記コントローラに、前記識別された植物に関する前記照明レシピに基づいて、前記１つ以上のＬＥＤデバイスの寒色性白色強度または暖色性白色強度のうちの少なくとも１つを制御させる、請求項５に記載の光制御システム。
【請求項８】
前記軌道は、地面に垂直な第１の軸の周囲に巻着する上昇部分と、前記地面に垂直な第２の軸の周囲に巻着する下降部分とを含み、前記１つ以上の照明デバイスは、前記１つ以上の照明デバイスが下方にある軌道の部分上の前記植物を照射するように前記軌道の底部側に配置される、請求項１に記載の光制御システム。
【請求項９】
１つ以上のカート内の前記植物の画像を捕捉し、前記捕捉された画像を前記コントローラに伝送するカメラをさらに備える、請求項１に記載の光制御システム。
【請求項１０】
前記１つ以上のメモリモジュール内に記憶された前記機械可読命令は、前記１つ以上のプロセッサによって実行されると、前記コントローラに、前記カメラによって捕捉された前記植物の画像に基づいて、前記照明レシピを更新させる、請求項９に記載の光制御システム。
【請求項１１】
植物のための光を制御するための方法であって、前記方法は、
成長ポッドコンピューティングデバイスによって、１つ以上の照明デバイスの下で軌道に沿って移動するように命令を１つ以上のカートに送信することと、
前記成長ポッドコンピューティングデバイスによって、前記１つ以上のカート内の植物を識別することと、
前記１つ以上のカートが前記軌道上を移動している一方で前記軌道上で前記植物を搬送する前記１つ以上のカートの場所に基づいて、前記植物のシミュレートされた成長日の数を決定することと、
前記成長ポッドコンピューティングデバイスによって、前記植物の前記シミュレートされた成長日の数に基づいて、１つ以上のメモリモジュール内に記憶された前記照明レシピの中から前記識別された植物に関する照明レシピを読み出すことと、
前記成長ポッドコンピューティングデバイスによって、前記識別された植物に関する前記照明レシピに基づいて、前記１つ以上の照明デバイスの動作を制御することと
を含む、方法。
【請求項１２】
１つ以上の照明デバイスのためのコントローラであって、
１つ以上のプロセッサと、
照明レシピを記憶する１つ以上のメモリモジュールと、
前記１つ以上のメモリモジュール内に記憶された機械可読命令であって、前記機械可読命令は、前記１つ以上のプロセッサによって実行されると、前記コントローラに、
前記１つ以上の照明デバイスの下で軌道に沿って移動するように命令を１つ以上のカートに送信することと、
前記１つ以上の照明デバイスの下に位置付けられる前記１つ以上のカート内の植物を識別することと、
前記１つ以上のカートが前記軌道上を移動している一方で前記軌道上で前記植物を搬送する前記１つ以上のカートの場所に基づいて、前記植物のシミュレートされた成長日の数を決定することと、
前記植物の前記シミュレートされた成長日の数に基づいて、前記１つ以上のメモリモジュール内に記憶された前記照明レシピの中から前記識別された植物に関する照明レシピを読み出すことと、
前記識別された植物に関する前記照明レシピに基づいて、前記１つ以上の照明デバイスの動作を制御するための１つ以上の命令を送信することと
を行わせる、機械可読命令と
を備える、コントローラ。
【手続補正２】
【補正対象書類名】明細書
【補正対象項目名】０００６
【補正方法】変更
【補正の内容】
【０００６】
別の実施形態では、１つ以上の照明デバイスのためのコントローラは、１つ以上のプロセッサと、照明レシピを記憶する１つ以上のメモリモジュールと、１つ以上のメモリモジュール内に記憶される機械可読命令とを含む。機械可読命令は、１つ以上のプロセッサによって実行されると、コントローラに、１つ以上の照明デバイスの下で軌道に沿って移動するように命令を１つ以上のカートに送信させ、１つ以上の照明デバイスの下で移動する１つ以上のカート内の植物を識別させ、１つ以上のメモリモジュールから識別された植物に関する照明レシピを読み出させ、識別された植物に関する照明レシピに基づいて、１つ以上の照明デバイスの動作を制御するための１つ以上の命令を送信させる。
本発明は、例えば、以下を提供する。
（項目１）
光制御システムであって、
１つ以上の照明デバイスと、
前記１つ以上の照明デバイスの下で軌道に沿って移動するように構成された１つ以上のカートと、
コントローラであって、
１つ以上のプロセッサと、
照明レシピを記憶する１つ以上のメモリモジュールと、
前記１つ以上のメモリモジュール内に記憶された機械可読命令であって、前記機械可読命令は、前記１つ以上のプロセッサによって実行されると、前記コントローラに、
前記１つ以上のカート内の植物を識別することと、
前記１つ以上のメモリモジュールから前記識別された植物に関する照明レシピを読み出すことと、
前記識別された植物に関する照明レシピに基づいて、前記１つ以上の照明デバイスの動作を制御することと
を行わせる、機械可読命令と
を備える、コントローラと
を備える、光制御システム。
（項目２）
前記１つ以上のメモリモジュール内に記憶された前記機械可読命令は、前記１つ以上のプロセッサによって実行されると、前記コントローラに、
前記植物のシミュレートされた成長日の数を決定することと、
前記植物の前記シミュレートされた成長日の数に基づいて、前記１つ以上のメモリモジュールから前記識別された植物に関する前記照明レシピを読み出すことと
を行わせる、項目１に記載の光制御システム。
（項目３）
前記軌道は、播種点を含み、
前記１つ以上のメモリモジュール内に記憶された前記機械可読命令は、前記１つ以上のプロセッサによって実行されると、前記コントローラに、前記軌道上の前記植物を搬送するカートの場所に基づいて、前記植物のシミュレートされた成長日の数を決定させる、
項目２に記載の光制御システム。
（項目４）
前記１つ以上のメモリモジュール内に記憶された前記機械可読命令は、前記１つ以上のプロセッサによって実行されると、前記コントローラに、カート内で搬送される前記植物の高さまたは葉緑素生産レベルに基づいて、前記植物のシミュレートされた成長日の数を決定させる、項目２に記載の光制御システム。
（項目５）
前記１つ以上の照明デバイスは、１つ以上のＬＥＤデバイスを含む、項目１に記載の光制御システム。
（項目６）
前記１つ以上のメモリモジュール内に記憶された前記機械可読命令は、前記１つ以上のプロセッサによって実行されると、前記コントローラに、前記識別された植物に関する前記照明レシピに基づいて、前記１つ以上のＬＥＤデバイスの赤色強度、青色強度、または緑色強度のうちの少なくとも１つを制御させる、項目５に記載の光制御システム。
（項目７）
前記１つ以上のメモリモジュール内に記憶された前記機械可読命令は、前記１つ以上のプロセッサによって実行されると、前記コントローラに、前記識別された植物に関する前記照明レシピに基づいて、前記１つ以上のＬＥＤデバイスの寒色性白色強度または暖色性白色強度のうちの少なくとも１つを制御させる、項目５に記載の光制御システム。
（項目８）
前記軌道は、地面に垂直な第１の軸の周囲に巻着する上昇部分と、前記地面に垂直な第２の軸の周囲に巻着する下降部分とを含み、前記１つ以上の照明デバイスは、前記１つ以上の照明デバイスが下方にある軌道の部分上の前記植物を照射するように前記軌道の底部側に配置される、項目１に記載の光制御システム。
（項目９）
１つ以上のカート内の前記植物の画像を捕捉し、前記捕捉された画像を前記コントローラに伝送するように構成されたカメラをさらに備える、項目１に記載の光制御システム。
（項目１０）
前記１つ以上のメモリモジュール内に記憶された前記機械可読命令は、前記１つ以上のプロセッサによって実行されると、前記コントローラに、前記植物の前記捕捉された画像に基づいて、前記照明レシピを更新させる、項目９に記載の光制御システム。
（項目１１）
植物のための光を制御するための方法であって、前記方法は、
成長ポッドコンピューティングデバイスによって、１つ以上の照明デバイスの下で軌道に沿って移動するように命令を１つ以上のカートに送信することと、
前記成長ポッドコンピューティングデバイスによって、前記１つ以上のカート内の植物を識別することと、
前記成長ポッドコンピューティングデバイスによって、１つ以上のメモリモジュールから前記識別された植物に関する照明レシピを読み出すことと、
前記成長ポッドコンピューティングデバイスによって、前記識別された植物に関する前記照明レシピに基づいて、前記１つ以上の照明デバイスの動作を制御することと
を含む、方法。
（項目１２）
前記植物のシミュレートされた成長日の数を決定することと、
前記植物の前記シミュレートされた成長日の数に基づいて、前記１つ以上のメモリモジュールから前記識別された植物に関する前記照明レシピを読み出すことと
をさらに含む、項目１１に記載の方法。
（項目１３）
前記植物の前記シミュレートされた成長日の数を決定することは、前記軌道上の前記植物を搬送するカートの場所に基づいて、前記植物の前記シミュレートされた成長日の数を決定することを含む、項目１２に記載の方法。
（項目１４）
前記１つ以上の照明デバイスの動作を制御することは、前記識別された植物に関する前記照明レシピに基づいて、前記１つ以上の照明デバイスの赤色強度、青色強度、または緑色強度のうちの少なくとも１つを制御することを含む、項目１１に記載の方法。
（項目１５）
前記１つ以上の照明デバイスの動作を制御することは、前記識別された植物に関する前記照明レシピに基づいて、前記１つ以上の照明デバイスの寒色性白色強度または暖色性白色強度のうちの少なくとも１つを制御することを含む、項目１１に記載の方法。
（項目１６）
１つ以上の照明デバイスのためのコントローラであって、
１つ以上のプロセッサと、
照明レシピを記憶する１つ以上のメモリモジュールと、
前記１つ以上のメモリモジュール内に記憶された機械可読命令であって、前記機械可読命令は、前記１つ以上のプロセッサによって実行されると、前記コントローラに、
前記１つ以上の照明デバイスの下で軌道に沿って移動するように命令を１つ以上のカートに送信することと、
前記１つ以上の照明デバイスの下に位置付けられる前記１つ以上のカート内の植物を識別することと、
前記１つ以上のメモリモジュールから前記識別された植物に関する照明レシピを読み出すことと、
前記識別された植物に関する前記照明レシピに基づいて、前記１つ以上の照明デバイスの動作を制御するための１つ以上の命令を送信することと
を行わせる、機械可読命令と
を備える、コントローラ。
（項目１７）
前記１つ以上のメモリモジュール内に記憶された前記機械可読命令は、前記１つ以上のプロセッサによって実行されると、前記コントローラに、
前記植物のシミュレートされた成長日の数を決定することと、
前記植物の前記シミュレートされた成長日の数に基づいて、前記１つ以上のメモリモジュールから前記識別された植物に関する前記照明レシピを読み出すことと
を行わせる、項目１６に記載のコントローラ。
（項目１８）
前記１つ以上のメモリモジュール内に記憶された前記機械可読命令は、前記１つ以上のプロセッサによって実行されると、前記コントローラに、前記植物を搬送するカートの場所に基づいて、前記植物の前記シミュレートされた成長日の数を決定させる、項目１７に記載のコントローラ。
（項目１９）
前記１つ以上の照明デバイスの動作を制御するための前記１つ以上の命令は、前記識別された植物に関する前記照明レシピに基づいて、前記１つ以上の照明デバイスの赤色強度、青色強度、または緑色強度を制御するための命令を含む、項目１６に記載のコントローラ。
（項目２０）
前記１つ以上の照明デバイスの動作を制御するための前記１つ以上の命令は、前記識別された植物に関する前記照明レシピに基づいて、前記１つ以上の照明デバイスの寒色性白色強度または暖色性白色強度を制御するための命令を含む、項目１６に記載のコントローラ。